(57)【要約】【課題】  複数の搬送ベルトにおける搬送速度にばらつきがあっても、記録媒体の斜行の発生を低く抑えることができるインクジェット記録装置を提供する。【解決手段】  複数本の搬送ベルトＶ１〜Ｖ５を、これらの搬送ベルトＶ１〜Ｖ５が記録媒体Ｐの搬送方向Ｘとは直交するＹ方向に、搬送ベルトＶ１〜Ｖ５同士間に隙間を有して並ぶように張設した構成を有する記録媒体搬送手段３と、記録媒体搬送手段３によって搬送される記録媒体Ｐを、複数本の搬送ベルトＶ１〜Ｖ５のそれぞれの外周面に押し付ける記録媒体押付手段５と、を備え、複数本の搬送ベルトＶ１〜Ｖ５のうちの所定の１本は、記録媒体Ｐと搬送ベルトＶ１〜Ｖ５の外周面との間でＸ方向に沿って作用する摩擦力である搬送摩擦力が、他の搬送ベルトＶ１〜Ｖ５における前記搬送摩擦力よりも大きい最大搬送摩擦力に設定されている。【選択図】      図１
2007022665.tif 000002
【特許請求の範囲】
【請求項１】
記録媒体を搬送する無端状の搬送ベルトを備え、当該搬送ベルトの外周面に載置されて搬送される前記記録媒体にノズルからインク滴を吐出して記録を行うようにしたインクジェット記録装置であって、
複数本の前記搬送ベルトを、当該複数本の搬送ベルトが前記記録媒体の搬送方向とは直交する方向に、当該搬送ベルト同士間に隙間を有して並ぶように張設した構成を有する記録媒体搬送手段と、
該記録媒体搬送手段によって搬送される前記記録媒体を、前記複数本の搬送ベルトのそれぞれの前記外周面に押し付ける記録媒体押付手段と、を備え、
前記複数本の搬送ベルトのうちの所定の１本は、前記記録媒体と前記搬送ベルトの前記外周面との間で前記搬送方向に沿って作用する摩擦力である搬送摩擦力が、他の前記搬送ベルトにおける前記搬送摩擦力よりも大きい最大搬送摩擦力に設定されていることを特徴とするインクジェット記録装置。
【請求項２】
前記最大搬送摩擦力は、前記他の搬送ベルトにおける前記搬送摩擦力の和よりも大きい値に設定されていることを特徴とする請求項１に記載のインクジェット記録装置。
【請求項３】
前記最大搬送摩擦力は、前記記録媒体押付手段が前記記録媒体を前記所定の１本の搬送ベルトの前記外周面に押し付ける押付力を、前記他の搬送ベルトにおける前記押付力よりも大きい値とすることで設定されていることを特徴とする請求項１又は２に記載のインクジェット記録装置。
【請求項４】
前記最大搬送摩擦力は、前記記録媒体と前記所定の１本の搬送ベルトの前記外周面との間の摩擦係数を、前記他の搬送ベルトにおける前記摩擦係数よりも大きい値とすることで設定されていることを特徴とする請求項１又は２に記載のインクジェット記録装置。
【請求項５】
前記記録媒体押付手段は、前記記録媒体の前記搬送ベルトに載置される側の載置面とは反対側の面に当接して回転可能に支持された当接ローラを備えるとともに、前記記録媒体を前記搬送ベルトの前記外周面に前記当接ローラを介して押し付けるように構成されていることを特徴とする請求項１乃至４のいずれか一項に記載のインクジェット記録装置。
【請求項６】
前記所定の１本の搬送ベルトは、記録可能な種々のサイズを有する前記記録媒体のすべてを載置可能な位置に張設されていることを特徴とする請求項１乃至５のいずれか一項に記載のインクジェット記録装置。
【発明の詳細な説明】
【技術分野】
【０００１】
本発明は、インクジェット記録装置に関し、特に、記録媒体を搬送ベルト上に載置して搬送する搬送装置を備えたものに関する。
【背景技術】
【０００２】
近年、ノズルからインク滴を吐出して記録媒体に記録を行うインクジェット記録装置において、記録速度の高速化の要望から、多数のノズルが記録媒体の幅以上の長さに亘って配列された記録領域を有するライン型の記録ヘッド（以下、ラインヘッドという）を備えたインクジェット記録装置（以下、ライン型インクジェット記録装置という）が実用化されている。
【０００３】
このライン型インクジェット記録装置では、従来、記録媒体を載置して搬送する複数の搬送ベルトを備え、これら複数の搬送ベルトを同一の駆動源で駆動することによって、複数の搬送ベルト間の搬送速度のばらつきをなくし、記録媒体の斜行を防止するようにした構成が知られている（例えば、特許文献１参照）。
【０００４】
【特許文献１】特開平８−１３２７００号公報（第３頁、図６）
【発明の開示】
【発明が解決しようとする課題】
【０００５】
しかしながら、複数の搬送ベルト間の搬送速度のばらつきをなくして記録媒体の斜行を防止するには、複数の搬送ベルトの厚みをすべて同一とし、且つこれら搬送ベルトを共通の駆動源で駆動するだけでは不十分である。つまり、搬送ベルト間の搬送速度のばらつきをなくすには、これらに加えて、搬送ベルトの周長、一対の回転軸のそれぞれの外径や曲がり、回転軸上に設けられて搬送ベルトが巻回されるプーリの外径等の精度を、搬送ベルト間で同一にしなければならない。
すなわち、上記特許文献１に記載された従来例では、種々の部品の寸法精度を極めて高くしなければならず、複数の搬送ベルトにおける搬送速度のばらつきをなくして記録媒体の斜行を防止することが困難であるという未解決の課題がある。
【０００６】
本発明は、上記の未解決の課題に着目してなされたものであり、複数の搬送ベルトにおける搬送速度にばらつきがあっても、記録媒体の斜行の発生を低く抑えることができるインクジェット記録装置を提供することを目的とする。
【課題を解決するための手段】
【０００７】
第１の発明は、記録媒体を搬送する無端状の搬送ベルトを備え、当該搬送ベルトの外周面に載置されて搬送される前記記録媒体にノズルからインク滴を吐出して記録を行うようにしたインクジェット記録装置であって、複数本の前記搬送ベルトを、当該複数本の搬送ベルトが前記記録媒体の搬送方向とは直交する方向に、当該搬送ベルト同士間に隙間を有して並ぶように張設した構成を有する記録媒体搬送手段と、該記録媒体搬送手段によって搬送される前記記録媒体を、前記複数本の搬送ベルトのそれぞれの前記外周面に押し付ける記録媒体押付手段と、を備え、前記複数本の搬送ベルトのうちの所定の１本は、前記記録媒体と前記搬送ベルトの前記外周面との間で前記搬送方向に沿って作用する摩擦力である搬送摩擦力が、他の前記搬送ベルトにおける前記搬送摩擦力よりも大きい最大搬送摩擦力に設定されていることを特徴とする。
【０００８】
この第１の発明では、記録媒体搬送手段が記録媒体を搬送する際には、複数本の搬送ベルトのうちの所定の１本と記録媒体との間に、他の搬送ベルトにおける搬送摩擦力よりも大きい最大搬送摩擦力が作用する。従って、複数本の搬送ベルトの搬送速度がそれぞれ異なる速度であっても、記録媒体は、最大搬送摩擦力が作用する所定の１本の搬送ベルトによって搬送速度が支配される。つまり、所定の１本の搬送ベルトと他の搬送ベルトとの搬送速度が異なっているときには、記録媒体は、最大搬送摩擦力によって引張られて、他の搬送ベルトの外周面上を滑ることになる。これにより、記録媒体の斜行の発生を低く抑えることが可能となる。
【０００９】
第２の発明は、第１の発明において、前記最大搬送摩擦力は、前記他の搬送ベルトにおける前記搬送摩擦力の和よりも大きい値に設定されていることを特徴とする。
【００１０】
これにより、記録媒体が最大搬送摩擦力によって所定の１本の搬送ベルトの外周面を滑ることなく引張られるため、記録媒体の斜行の発生を一層低く抑えることが可能となる。
【００１１】
第３の発明は、第１又は第２の発明において、前記最大搬送摩擦力は、前記記録媒体押付手段が前記記録媒体を前記所定の１本の搬送ベルトの前記外周面に押し付ける押付力を、前記他の搬送ベルトにおける前記押付力よりも大きい値とすることで設定されていることを特徴とする。
【００１２】
この第３の発明では、所定の１本の搬送ベルトにおける記録媒体押付手段の押付力が、他の搬送ベルトにおける押付力よりも大きい値に設定されている。これにより、所定の１本の搬送ベルトと記録媒体との間に最大搬送摩擦力を作用させることが可能となる。
【００１３】
第４の発明は、第１又は第２の発明において、前記最大搬送摩擦力は、前記記録媒体と前記所定の１本の搬送ベルトの前記外周面との間の摩擦係数を、前記他の搬送ベルトにおける前記摩擦係数よりも大きい値とすることで設定されていることを特徴とする。
【００１４】
この第４の発明では、記録媒体と所定の１本の搬送ベルトの外周面との間の摩擦係数が、他の搬送ベルトにおける摩擦係数よりも大きい値に設定されている。これにより、所定の１本の搬送ベルトと記録媒体との間に最大搬送摩擦力を作用させることが可能となる。
【００１５】
第５の発明は、第１乃至第４のいずれか一の発明において、前記記録媒体押付手段は、前記記録媒体の前記搬送ベルトに載置される側の載置面とは反対側の面に当接して回転可能に支持された当接ローラを備えるとともに、前記記録媒体を前記搬送ベルトの前記外周面に前記当接ローラを介して押し付けるように構成されていることを特徴とする。
【００１６】
この第５の発明では、記録媒体押付手段は、当接ローラを介して記録媒体を搬送ベルトの外周面に押し付けるようになっている。これにより、記録媒体押付手段と記録媒体との間に作用する摩擦力を低く抑えることができ、この摩擦力によって記録媒体の斜行が発生してしまうことを低く抑えることが可能となる。
【００１７】
第６の発明は、第１乃至第５のいずれか一の発明において、前記所定の１本の搬送ベルトは、記録可能な種々のサイズを有する前記記録媒体のすべてを載置可能な位置に張設されていることを特徴とする。
【００１８】
これにより、記録可能な種々のサイズを有する記録媒体のすべてを所定の１本の搬送ベルトに載置することができ、それぞれのサイズの記録媒体に最大搬送摩擦力を作用させることが可能となる。
【発明を実施するための最良の形態】
【００１９】
本発明の実施形態を、図面に基づいて説明する。
【００２０】
本発明の実施形態におけるインクジェット記録装置１は、平面図である図１（ａ）及び正面図である図１（ｂ）に示すように、ゲートローラ２と、用紙搬送部３と、記録ヘッド４と、用紙押え部５とを備えている。なお、この図１（ａ）及び図１（ｂ）において、Ｘ方向は、記録用紙Ｐの搬送方向を示し、Ｙ方向は、Ｘ方向と直交する方向を示している。
このインクジェット記録装置１は、記録の際に、記録ヘッド４の移動をともなわずに記録を完了する所謂ライン型インクジェット記録装置である。
【００２１】
ここで、上記の各構成の詳細を説明する。
ゲートローラ２は、図１（ａ）及び（ｂ）に示すように、後述する用紙搬送部３のＸ方向上流側に配設され、記録用紙Ｐの記録が行われる面である記録面６及びこの記録面６とは反対側の面である載置面７のそれぞれに当接して記録用紙Ｐを挟持しつつ回転可能に構成された一対のローラを備えている。このゲートローラ２は、用紙供給モータ２１からの動力で駆動され、図示しない給紙部によって記録用紙Ｐがゲートローラ２における一対のローラ間に突き当てられるように供給されると、この記録用紙ＰのＸ方向に対する傾き及びＹ方向の位置ずれを補正するスキュー補正を行ってから、この記録用紙Ｐを用紙搬送部３に供給する。
【００２２】
用紙搬送部３は、平面図である図２（ａ）及び正面図である図２（ｂ）に示すように、用紙搬送部３を駆動するための動力を発生する搬送部駆動モータ３１と、搬送部駆動モータ３１から動力が伝達される駆動ローラ３２と、駆動ローラ３２のＸ方向上流側に配設される従動ローラ３３と、駆動ローラ３２及び従動ローラ３３間に張設される搬送ベルトＶ１〜Ｖ５と、搬送ベルトＶ１〜Ｖ５の内周面に当接してこれら搬送ベルトＶ１〜Ｖ５のそれぞれの回転とともに回転可能に支持されるプラテンローラ３４とを備えている。
【００２３】
搬送ベルトＶ１〜Ｖ５は、図２（ａ）に示すように、駆動ローラ３２及び従動ローラ３３上に設けられたフランジ部３５によってＹ方向の位置が規制され、これら搬送ベルトＶ１〜Ｖ５同士の間に隙間があけられている。なお、フランジ部３５の厚みは、記録用紙Ｐの搬送が妨げられないように搬送ベルトＶ１〜Ｖ５の厚みより薄く設定されている。
【００２４】
プラテンローラ３４は、後述する用紙押え部５によって搬送ベルトＶ１〜Ｖ５に加えられる荷重を支えて、搬送ベルトＶ１〜Ｖ５の撓みを抑制する。
【００２５】
上記の構成を有する用紙搬送部３は、図１（ｂ）に示すように、搬送ベルトＶ１〜Ｖ５をこの図で見て反時計方向に回転させるように駆動ローラ３２が搬送部駆動モータ３１によって駆動され、ゲートローラ２から搬送ベルトＶ１〜Ｖ５の外周面上に供給された記録用紙Ｐを、Ｘ方向に搬送する。
【００２６】
記録ヘッド４は、図１（ａ）及び図１（ｂ）に示すように、ブラック、シアン、マゼンタ及びイエローの各色のインク滴を吐出するヘッドユニット４ｋ、４ｃ、４ｍ及び４ｙを備え、これらヘッドユニット４ｋ、４ｃ、４ｍ及び４ｙがＸ方向上流側から下流側へ向かってこの順序で配設されている。
【００２７】
ここで、各ヘッドユニット４ｋ、４ｃ、４ｍ及び４ｙに形成されているノズルの配列について説明する。なお、ヘッドユニット４ｋ、４ｃ、４ｍ及び４ｙは、それぞれ、吐出するインク滴の色が異なることを除いては同様の構成を有している。従って、ここでは、ヘッドユニット４ｋを例に、ノズルの配列を説明する。
【００２８】
ヘッドユニット４ｋは、底面図である図３に示すように、インク滴を吐出するノズル４１がＹ方向に所定間隔で距離ＫＲに亘って形成されている。インクジェット記録装置１では、この距離ＫＲに亘って配列形成されたノズル４１によって構成されるノズル列が、Ｙ方向における記録可能領域となる。
【００２９】
なお、この図３において、構成をわかりやすく示すため、ノズル４１の大きさを誇張して且つ個数を減じて図示している。また、図３における符号４２は、各ヘッドユニット４ｋ、４ｃ、４ｍ及び４ｙのノズル４１が形成されている面であるノズル面を示している。
【００３０】
各ヘッドユニット４ｋ、４ｃ、４ｍ及び４ｙは、図１（ａ）及び（ｂ）に示すように、用紙搬送部３上でノズル面４２を記録用紙Ｐの記録面６側に向けて、ノズル面４２と記録面６との間に所定のギャップを保って、且つノズル列が記録用紙ＰをＹ方向にまたぐように配設されている。なお、これらのヘッドユニット４ｋ、４ｃ、４ｍ及び４ｙとしては、圧電素子、加熱素子等によりインクに圧力を付与してインク滴を吐出するヘッドユニットを採用することができる。
【００３１】
上記の構成を有する記録ヘッド４は、用紙搬送部３によってＸ方向に搬送される記録用紙Ｐの記録面６に、パーソナルコンピュータやデジタルスチルカメラなどのホストコンピュータからの記録情報等に基づいて、多数のノズル４１から選択的にインク滴を吐出させて記録を行う。
【００３２】
用紙押え部５は、図１（ｂ）に示すように、記録用紙Ｐを記録面６側から搬送ベルトＶ１〜Ｖ５の外周面に押し付ける用紙押付ユニット５１と、この用紙押付ユニット５１をこの図で見て上方から支持する支持板５２とを備えている。
【００３３】
用紙押付ユニット５１は、正面図である図４（ａ）及び側面図である図４（ｂ）に示すように、外周面が記録用紙Ｐの記録面６に当接する当接ローラ５１１と、当接ローラ５１１に挿通される回転軸５１２と、回転軸５１２を支持して当接ローラ５１１を回転可能に保持する２つの軸受け５１３と、軸受け５１３及び支持板５２間に配設されて各軸受け５１３に支持板５２から記録用紙Ｐに向かう荷重を付与するコイルばね５１４とを備えている。
【００３４】
上記の構成を有する用紙押付ユニット５１は、図１（ｂ）中のＡ−Ａ断面図である図５に示すように、当接ローラ５１１の回転方向が搬送ベルトＶ１〜Ｖ５の回転方向に合うように、搬送ベルトＶ１〜Ｖ５ごとに設けられている。なお、この図５では、構成をわかりやすく示すため、記録ヘッド４及び駆動ローラ３２を省略して図示している。
【００３５】
また、搬送ベルトＶ１〜Ｖ５ごとに設けられる用紙押付ユニット５１は、図１（ｂ）に示すように、各ヘッドユニット４ｋ、４ｃ、４ｍ及び４ｙを２つの用紙押付ユニット５１でＸ方向に挟むように配設されている。なお、４つのヘッドユニット４ｋ、４ｃ、４ｍ及び４ｙを備える本実施形態では、搬送ベルトＶ１〜Ｖ５ごとに設けられる用紙押付ユニット５１の数量が５個となる。
【００３６】
そして、用紙押え部５には、底面図である図６に示すように、Ｘ方向に沿って並ぶ５つの用紙押付ユニット５１によって、搬送ベルトＶ１〜Ｖ５のそれぞれに対応した用紙押付部５２１〜５２５が構成されている。これら用紙押付部５２１〜５２５は、図１（ｂ）に示すように、搬送ベルトＶ１〜Ｖ５の外周面に載置されて搬送される記録用紙Ｐに、各搬送ベルトＶ１〜Ｖ５への押付力を付与する。
【００３７】
また、インクジェット記録装置１は、図７に示すように、上述した各構成の動作を制御する制御回路８を備えている。この制御回路８は、制御部８１と、用紙供給モータ２１を制御する用紙供給モータドライバ８２と、搬送部駆動モータ３１を制御する搬送部駆動モータドライバ８３と、記録ヘッド４における各ヘッドユニット４ｋ、４ｃ、４ｍ及び４ｙを制御する記録ヘッドドライバ８４と、パーソナルコンピュータやデジタルスチルカメラなどのホストコンピュータ８６から入力される画像データなどの記録情報を受け取るインタフェース部８５とを備えている。
【００３８】
制御部８１は、例えば、マイクロコンピュータで構成され、記録処理等の各種処理を実行するＣＰＵ（Central Processing Unit）８１１と、ホストコンピュータ８６からの記録情報や、各種処理を実行する際に必要となる種々のデータを格納するメモリ８１２とを備えている。このメモリ８１２は、記録情報を格納するＳＤＲＡＭ（Synchronous Dynamic Random Access Memory）や、記録処理等を実行する際に各種データを一時的に格納したり、記録処理等のアプリケーションプログラムを一時的に展開したりするＲＡＭ（Random Access Memory）や、ＣＰＵ８１１が実行する制御プログラム等を格納する不揮発性半導体メモリで構成されるＲＯＭ（Read-Only Memory）などを含んで構成されている。
【００３９】
上述した構成を有するインクジェット記録装置１は、制御部８１がインタフェース部８５を介してホストコンピュータ８６から記録情報を受け取ると、ＣＰＵ８１１によって記録処理が開始され、図示しない給紙部に記録用紙Ｐをゲートローラ２に供給させて記録動作が開始される。
【００４０】
このとき、搬送部駆動モータ３１は、ＣＰＵ８１１から出力される搬送部駆動指令に基づいて搬送部駆動モータドライバ８３によって駆動が制御され、搬送ベルトＶ１〜Ｖ５を図１（ｂ）で見て反時計方向に回転させるように駆動が制御される。
【００４１】
記録用紙Ｐが供給されたゲートローラ２は、所定のタイミングでＣＰＵ８１１から用紙供給指令を受けた用紙供給モータドライバ８２によって用紙供給モータ２１の駆動が制御され、記録用紙Ｐをスキュー補正してから用紙搬送部３に供給する。
【００４２】
用紙搬送部３に供給された記録用紙Ｐは、図１（ｂ）に示すように、搬送ベルトＶ１〜Ｖ５の外周面に載置され、用紙押付部５２１〜５２５によって搬送ベルトＶ１〜Ｖ５のそれぞれに押付力が付与される。このとき、記録用紙Ｐと各搬送ベルトＶ１〜Ｖ５との間には、Ｘ方向に沿って作用する摩擦力である搬送摩擦力が働く。この搬送摩擦力により、搬送ベルトＶ１〜Ｖ５の外周面上に載置された記録用紙Ｐを、搬送ベルトＶ１〜Ｖ５の回転とともにＸ方向に搬送することが可能となる。
【００４３】
記録用紙ＰがＸ方向に搬送されていくと、ヘッドユニット４ｋ、４ｃ、４ｍ及び４ｙのそれぞれは、所定のタイミングでＣＰＵ８１１から記録指令を受けた記録ヘッドドライバ８４によって制御され、Ｘ方向に搬送される記録用紙Ｐの記録面６に記録情報に基づく記録を実施する。
【００４４】
そして、記録情報に基づく記録が終了すると、記録用紙Ｐは、図示しない排紙部によってインクジェット記録装置１外に排出される。
【００４５】
ところで、上述したような構成を有するインクジェット記録装置１では、用紙搬送部３を構成する部品の精度によって、搬送ベルトＶ１〜Ｖ５のそれぞれにおける搬送速度が異なることがある。搬送ベルトＶ１〜Ｖ５のそれぞれにおける搬送速度が異なると、ゲートローラ２によってスキュー補正されてから搬送ベルトＶ１〜Ｖ５に載置された記録用紙Ｐが、図８に示すように、搬送されていくのにしたがって斜めにずれてしまう所謂斜行が発生してしまう。
【００４６】
搬送ベルトＶ１〜Ｖ５の搬送速度誤差には、駆動ローラ３２及び従動ローラ３３の搬送ベルトＶ１〜Ｖ５が巻回される部位の直径、駆動ローラ３２及び従動ローラ３３の曲がり、搬送ベルトＶ１〜Ｖ５の周長や厚み等、多くの要素がかかわっており、すべての搬送ベルトＶ１〜Ｖ５の搬送速度を同一にすることは極めて困難である。
【００４７】
そこで、本実施形態のインクジェット記録装置１では、搬送ベルトＶ１〜Ｖ５の中でＹ方向の中央に位置する搬送ベルトＶ３に作用する搬送摩擦力を、他の搬送ベルトＶ１、Ｖ２、Ｖ４及びＶ５のそれぞれに作用する搬送摩擦力の和よりも大きい最大搬送摩擦力に設定して、記録用紙Ｐの斜行の発生を抑制するようになっている。以下に、記録用紙Ｐの斜行発生の抑制について、詳細を説明する。
【００４８】
搬送ベルトＶ３に対応する用紙押付部５２３は、記録用紙Ｐを搬送ベルトＶ３に押し付ける押付力が、他の用紙押付部５２１、５２２、５２４及び５２５の押付力の和よりも大きい押付力に設定されている。具体的には、用紙押付部５２３を構成する５つの用紙押付ユニット５１における各コイルばね５１４の発生荷重が、他の用紙押付ユニット５１における各コイルばね５１４の発生荷重よりも大きくなるように構成されている。
【００４９】
本実施形態では、用紙押付部５２３における１つの用紙押付ユニット５１が記録用紙Ｐに０．９８Ｎ（１００ｇｆ）の荷重を付与し、他の用紙押付部５２１、５２２、５２４及び５２５のそれぞれにおける１つの用紙押付ユニット５１が記録用紙Ｐに０．０９８Ｎ（１０ｇｆ）の荷重を付与するように設定されている。
【００５０】
つまり、用紙押付部５２３は、荷重が４．９Ｎ（５００ｇｆ）の押付力で記録用紙Ｐを搬送ベルトＶ３に押し付け、他の用紙押付部５２１、５２２、５２４及び５２５は、それぞれ荷重が０．４９Ｎ（５０ｇｆ）の押付力で記録用紙Ｐを搬送ベルトＶ１、Ｖ２、Ｖ４及びＶ５のそれぞれに押し付ける。
【００５１】
また、搬送ベルトＶ１〜Ｖ５をゴム系の材質とした本実施形態では、搬送ベルトＶ１〜Ｖ５と記録用紙ＰとのＸ方向における摩擦係数の値が１である。従って、搬送ベルトＶ１、Ｖ２、Ｖ４及びＶ５のそれぞれと記録用紙Ｐとの間でＸ方向に沿って作用する搬送摩擦力の値は、０．４９Ｎとなる。また、搬送ベルトＶ３と記録用紙Ｐとの間で作用する最大搬送摩擦力の値は、他の搬送ベルトＶ１、Ｖ２、Ｖ４及びＶ５と記録用紙Ｐとの間の各搬送摩擦力の和である１．９６Ｎより大きい値の４．９Ｎとなる。
【００５２】
搬送ベルトＶ１〜Ｖ５のそれぞれにおける搬送速度が異なっている場合、記録用紙Ｐは、最大搬送摩擦力が作用する搬送ベルトＶ３の外周面にしっかりと保持され、他の搬送ベルトＶ１、Ｖ２、Ｖ４及びＶ５の外周面との間で滑りが生じる。従って、搬送ベルトＶ１〜Ｖ５のそれぞれにおける搬送速度が異なっていても、記録用紙Ｐの斜行の発生が抑制される。
【００５３】
なお、本実施形態において、用紙押付部５２１〜５２５が記録媒体押付手段に対応している。
【００５４】
本実施形態のインクジェット記録装置１では、搬送ベルトＶ３と記録用紙Ｐとの間に、他の搬送ベルトＶ１、Ｖ２、Ｖ４及びＶ５における搬送摩擦力の和よりも大きい最大搬送摩擦力が作用するようになっている。これにより、搬送ベルトの搬送速度がそれぞれ異なる速度であっても、記録用紙Ｐを搬送ベルトＶ３の外周面にずれることなく保持させ、他の搬送ベルトＶ１、Ｖ２、Ｖ４及びＶ５の外周面上を滑らせることができる。従って、記録用紙Ｐの斜行の発生を抑制することが可能となる。
【００５５】
なお、本実施形態では、搬送ベルトＶ３に対応する用紙押付部５２３の押付力を、他の用紙押付部５２１、５２２、５２４及び５２５の押付力の和よりも大きくして最大搬送摩擦力を作用させるようにしたが、これに限定されず、用紙押付部５２１〜５２５のそれぞれの押付力を同等とし、搬送ベルトＶ３と記録用紙Ｐとの摩擦係数の値を、他の搬送ベルトＶ１、Ｖ２、Ｖ４及びＶ５における摩擦係数の値の和よりも大きくすることで最大搬送摩擦力を作用させるようにしてもよい。
【００５６】
また、本実施形態では、用紙押付ユニット５１が、図９（ａ）に示す円形の外形を有する当接ローラ５１１を備える構成としたが、これに限定されず、図９（ｂ）に示すように、放射状に延びる複数の突起部を有する拍車ローラ５１５を備える構成としてもよい。これにより、ローラの外周面全体ではなく面積の小さい突起部を記録用紙Ｐの記録面６に接触させることが可能となるため、記録が終了した記録面６の汚損を低く抑えることが可能となる。
【００５７】
また、本実施形態では、用紙押付ユニット５１によって搬送ベルトＶ１〜Ｖ５に加えられる荷重をプラテンローラ３４で支える構成としたが、板状のプラテンで支える構成としてもよい。
【００５８】
また、本実施形態では、搬送ベルトＶ１〜Ｖ５の本数を５本としたが、これに限定されず、２本以上の任意の本数とすることができる。
【００５９】
また、本実施形態では、搬送ベルトＶ１〜Ｖ５の中でＹ方向の中央に位置する搬送ベルトＶ３に最大搬送摩擦力を作用させるように構成したが、これに限定されず、最大搬送摩擦力を作用させるのは搬送ベルトＶ１〜Ｖ５のいずれでもよい。
【００６０】
また、種々のサイズの記録用紙Ｐに記録を実施させる場合には、図１０（ａ）〜（ｃ）に示すように、これら種々のサイズを有する記録用紙Ｐ１、Ｐ２、Ｐ３及びＰ４におけるＹ方向の基準となる位置である通紙基準位置９に対応した搬送ベルトに最大搬送摩擦力が作用するように構成される。すなわち、図１０（ａ）に示す例では、通紙基準位置９に対応するのが搬送ベルトＶ３であり、図１０（ｂ）に示す例では、通紙基準位置９に対応するのが搬送ベルトＶ５であり、図１０（ｃ）に示す例では、通紙基準位置９に対応するのが搬送ベルトＶ１である。
【００６１】
このような構成により、種々のサイズの記録用紙Ｐ１〜Ｐ４のすべてを、最大搬送摩擦力が作用する搬送ベルトに載置することができ、サイズが異なるすべての記録用紙Ｐにおける斜行の発生を抑制することが可能となる。
【００６２】
また、本実施形態では、ブラック、シアン、マゼンタ及びイエローの各色のインク滴を吐出する４種類のヘッドユニット４ｋ、４ｃ、４ｍ及び４ｙで記録ヘッド４を構成するようにしたが、これに限定されず、これらにライトシアン及びライトマゼンタの色を加えた６種類等、任意の種類で構成することができる。
【００６３】
また、本実施形態では、それぞれ一体に形成されたヘッドユニット４ｋ、４ｃ、４ｍ及び４ｙでＹ方向における記録可能領域ＫＲを構成する場合を例に説明したが、これに限定されず、小さく分割されたヘッドユニットを複数個配列してＹ方向における記録可能領域ＫＲを構成するようにしてもよい。
【００６４】
また、本実施形態では、各ヘッドユニット４ｋ、４ｃ、４ｍ及び４ｙを、ノズル４１の配列方向をＹ方向に向けて配設するようにしたが、これに限定されず、Ｘ方向と交差する任意の方向に向けて配設するようにしてもよい。この場合、Ｘ方向から見たノズルピッチを短く設定することができ、Ｙ方向における記録解像度を高めることが可能となる。
【００６５】
また、記録媒体は記録用紙Ｐに限らず、インク滴が付着してドットを形成できるものであれば、任意の記録媒体を適用することができる。
【００６６】
また、本実施形態では、ライン型インクジェット記録装置を例に説明したが、これに限定されず、記録ヘッドをＹ方向に走査させながら記録を行うシリアル型インクジェット記録装置に適用することもできる。
【図面の簡単な説明】
【００６７】
【図１】本発明の実施形態におけるインクジェット記録装置の主要構成を示す外観図。
【図２】本発明の実施形態におけるインクジェット記録装置の用紙搬送部を説明する図。
【図３】本発明の実施形態におけるインクジェット記録装置のヘッドユニットの底面図。
【図４】本発明の実施形態におけるインクジェット記録装置の用紙押付ユニットの構成を説明する図。
【図５】図１（ｂ）中のＡ−Ａ断面図。
【図６】本発明の実施形態におけるインクジェット記録装置の用紙押え部の底面図。
【図７】本発明の実施形態におけるインクジェット記録装置の制御回路を説明する図。
【図８】記録用紙の斜行を説明する図。
【図９】本発明の実施形態におけるインクジェット記録装置の当接ローラの他の構成例を説明する図。
【図１０】本発明の実施形態におけるインクジェット記録装置の通紙基準位置を説明する図。
【符号の説明】
【００６８】
１…インクジェット記録装置、Ｖ１，Ｖ２，Ｖ３，Ｖ４，Ｖ５…搬送ベルト、３…用紙搬送部、５…用紙押え部、５１…用紙押付ユニット、５１１…当接ローラ、５２１，５２２，５２３，５２４，５２５…用紙押付部。
【図１】
2007022665.tif 000003
【図２】
2007022665.tif 000004
【図３】
2007022665.tif 000005
【図４】
2007022665.tif 000006
【図５】
2007022665.tif 000007
【図６】
2007022665.tif 000008
【図７】
2007022665.tif 000009
【図８】
2007022665.tif 000010
【図９】
2007022665.tif 000011
【図１０】
2007022665.tif 000012